(57)【要約】【課題】ワイヤを屈曲させて溝等の片側辺を加工するワイヤ放電加工機において、ワイヤ断線を低減させ、自動結線を可能にする。【解決手段】下流側ワイヤガイド部２にワイヤ方向転換ガイド取付部材８を取り付ける。該取付部材８は第１と第２のワイヤ方向転換ガイド９，１０で構成されている。第１のワイヤ方向転換ガイド９は、下流側ワイヤガイド２ａから第２のワイヤ方向転換ガイド１０側へワイヤを屈曲させる。第２のワイヤ方向転換ガイド１０は上流側ワイヤガイド１ａ側に屈曲させる。上流側、下流側のワイヤガイド１ａ、２ａを対向する位置に位置決めし、自動結線装置で結線する。その後、上流側ワイヤガイド部１を移動させてワイヤを屈曲させ架設する。ワイヤの屈曲回数が少なく、ワイヤの張力負荷が少なくなり断線は低減する。加工部でのワイヤの曲がり癖が少なく、高精度の加工ができる。自動的に結線、架設ができる。【選択図】　　　図１
2004090132.tif 000002
【特許請求の範囲】
【請求項１】
上流側ワイヤガイドと、下流側ワイヤガイドと、ワイヤ方向転換ガイドとを有し、上流側ワイヤガイドを通過したワイヤが前記ワイヤ方向転換ガイドを経由して下流側ワイヤガイドに供給されるワイヤ放電加工機において、前記ワイヤ方向転換ガイドは第１と第２のワイヤ方向転換ガイドで構成され、第１のワイヤ方向転換ガイドは、上流側又は下流側の一方のワイヤガイドから第２のワイヤ方向転換ガイド側へワイヤを屈曲させ、第２のワイヤ方向転換ガイドは、上流側又は下流側の他方のワイヤガイド側に屈曲させることを特徴とするワイヤ放電加工機。
【請求項２】
前記ワイヤ方向転換ガイドは、前記第１と第２のワイヤ方向転換ガイドの組を複数組備え、いずれかの組を使用するようにした請求項１に記載のワイヤ放電加工機。
【請求項３】
前記第１及び第２のワイヤ方向転換ガイドはワイヤ方向転換ガイド取付部材に設けられ、該ワイヤ方向転換ガイド取付部材は、前記上流側又は下流側の一方のワイヤガイドの回りに回動可能で、所定位置に固定可能に構成されている請求項１に記載のワイヤ放電加工機。
【請求項４】
上流側ワイヤガイドと、下流側ワイヤガイドと、ワイヤ方向転換ガイドとを有し、上流側ワイヤガイドを通過したワイヤが前記ワイヤ方向転換ガイドを経由して下流側ワイヤガイドに供給されるワイヤ放電加工機において、ワイヤ送給方向に垂直な平面上に投影された前記上流側ワイヤガイドの位置が前記下流側ワイヤガイドの位置に対して前記ワイヤ方向転換ガイドによるワイヤの屈曲に応じてずれた位置にあることを特徴とするワイヤ放電加工機。
【請求項５】
前記ワイヤ方向転換ガイドは前記上流側ワイヤガイドを通過するワイヤを直角方向に屈曲させて下流側ワイヤガイドに送給する少なくとも２つの円弧状ワイヤガイドからなることを特徴とする請求項４に記載のワイヤ放電加工機。
【請求項６】
前記ワイヤ方向転換ガイド及び前記下流側ワイヤガイドをＬ字状もしくはＴ字状部材に配置したことを特徴とする請求項４又は請求項５に記載のワイヤ放電加工機。
【請求項７】
前記ワイヤ方向転換ガイド及び前記上流側ワイヤガイドをＬ字状もしくはＴ字状部材に配置したことを特徴とする請求項４又は請求項５に記載のワイヤ放電加工機。
【請求項８】
前記上流側ワイヤガイドと前記下流側ワイヤガイドとの間で自動結線する手段と、ワイヤが結線された状態で前記上流側ワイヤガイドと前記下流側ワイヤガイドを相対移動させてワイヤを前記ワイヤ方向転換ガイドに架ける手段とを有することを特徴とする請求項１乃至７の内いずれか１項に記載のワイヤ放電加工機。
【請求項９】
前記自動結線手段は、ワイヤ送給方向に垂直な平面上に投影された前記上流側ワイヤガイドの位置と前記下流側ワイヤガイドの位置が同一又はその近傍位置になるように上流側ワイヤガイド又は下流側ワイヤガイドを移動させた後に行うことを特徴とする請求項８に記載のワイヤ放電加工機。
【請求項１０】
前記上流側ワイヤガイド又は前記下流側ワイヤガイドを移動させることによりテーパ加工を可能にした請求項１乃至９の内いずれか１項に記載のワイヤ放電加工機。
【発明の詳細な説明】
【０００１】
【発明の属する技術分野】
本発明は、ワイヤ放電加工機に関する。
【０００２】
【従来の技術】
ワイヤ放電加工機は、ワイヤを供給する側の上流側ワイヤガイドとワイヤを回収する側の下流側ワイヤガイド間にワイヤを張設し、ワイヤを上流側ワイヤガイド側から下流側ワイヤガイド側に走行させながら、ワイヤと加工するワーク間に微少な間隙を設け、ワイヤとワーク間に電圧を印加して放電を生じせしめ加工するものである。凹部、溝又は孔が形成されたワークに対して該凹部、溝又は孔と一側面間を加工する場合、ワイヤを屈曲させて凹部、溝又は孔から一方の側面までの加工を行う装置が特開昭６２−８８５１６号公報、実開昭５９−１６７６２７号公報、実開平４−１２２４２０号公報で知られている。
【０００３】
【発明が解決しようとする課題】
上述した、ワイヤを屈曲させて、凹部、溝又は孔の片側辺を加工する従来のワイヤ放電加工機においては、ワイヤをコの字型に屈曲させ、ワイヤが一方のワイヤガイドから、加工領域に達するまで４回の屈曲がなされる。この屈曲回数が多いことから、ワイヤの張力負担が大きくなり、加工中にワイヤ断線が頻繁に発生する。
また、加工途中で断線した場合、自動で再結線することができず、長時間の加工がおこなわれ、ワイヤ放電加工の特徴である無人の自動加工を継続できないという問題があった。
【０００４】
そこで、本発明は、ワイヤを屈曲させて凹部又は溝の片側辺を加工するワイヤ放電加工機においてワイヤの張力負担を軽減しワイヤ断線を低減させるワイヤ放電加工機を提供することにある。さらに、自動結線をも可能にした、ワイヤ放電加工機を提供することにある。
【０００５】
【課題を解決するための手段】
上流側ワイヤガイドと、下流側ワイヤガイドと、ワイヤ方向転換ガイドとを有し、上流側ワイヤガイドを通過したワイヤがワイヤ方向転換ガイドを経由して下流側ワイヤガイドに供給されるワイヤ放電加工機において、請求項１に係わる発明は、ワイヤ方向転換ガイドを第１と第２のワイヤ方向転換ガイドで構成し、第１のワイヤ方向転換ガイドは、上流側又は下流側の一方のワイヤガイドから第２のワイヤ方向転換ガイド側へワイヤを屈曲させ、第２のワイヤ方向転換ガイドは、上流側又は下流側の他方のワイヤガイド側に屈曲させてワイヤを架設するようにした。又、請求項２に係わる発明は、請求項１に係わる発明において、第１と第２のワイヤ方向転換ガイドの組を複数組備えるようにした。さらに、請求項３に係わる発明は、請求項１に係わる発明において、ワイヤ方向転換ガイドを上流側又は下流側の一方のワイヤガイドの回りに回動可能で、所定位置に固定可能に構成されるワイヤ方向転換ガイド取付部材に第１及び第２のワイヤ方向転換ガイドを設けて構成した。
【０００６】
請求項４に係わる発明は、ワイヤ送給方向に垂直な平面上に投影された上流側ワイヤガイドの位置が下流側ワイヤガイドの位置に対してワイヤ方向転換ガイドによるワイヤの屈曲に応じてずれた位置にあるようにした。又、請求項５に係わる発明は、請求項４に係わる発明において、ワイヤ方向転換ガイドは上流側ワイヤガイドを通過するワイヤを直角方向に屈曲させて下流側ワイヤガイドに送給する少なくとも２つの円弧状ワイヤガイドからなるものとした。さらに、請求項６に係わる発明は、ワイヤ方向転換ガイド及び下流側ワイヤガイドをＬ字状もしくはＴ字状部材に配置した。又、請求項７に係わる発明は、ワイヤ方向転換ガイド及び上流側ワイヤガイドをＬ字状もしくはＴ字状部材に配置した。
【０００７】
請求項８，９に係わる発明は、上流側ワイヤガイドと下流側ワイヤガイドとの間で自動結線する手段と、ワイヤが結線された状態で上流側ワイヤガイドと下流側ワイヤガイドを相対移動させてワイヤをワイヤ方向転換ガイドに架ける手段とを備えるようにした。そして、自動結線手段は、ワイヤ送給方向に垂直な平面上に投影された上流側ワイヤガイドの位置と下流側ワイヤガイドの位置が同一又はその近傍位置になるように上流側ワイヤガイド又は下流側ワイヤガイドを移動させた後に行うようにした。又、請求項１０に係わる発明は、上流側ワイヤガイド又は下流側ワイヤガイドを移動させることにより凹部、溝、孔等の側壁部に対してもテーパ加工を可能にした。
【０００８】
【発明の実施の形態】
図１、図２は本発明の一実施形態の要部説明図である。図１は、溝が形成されたワークに対して一方の溝側辺をワイヤ放電加工している状態を表す正面図で、図２は、図１から上流側ワイヤガイド部を取り除き、ワーク上方からみた上面図である。
符号１は、上流側ワイヤガイド部で該上流側ワイヤガイド部１には、上流側ワイヤガイド部１に取り付けられたノズル３内に上流側ワイヤガイド１ａが設けられている。符号２は、下流側ワイヤガイド部で、該下流側ワイヤガイド部２には下流側ワイヤガイド２ａが取り付けられている。又、ワーク４は取付治具６でテーブル５に取り付けられている。
【０００９】
以上の構成は、従来のワイヤ放電加工機と同一である。そして本発明の特徴とする構成はワイヤ方向転換ガイドが設けられている点にある。この実施形態では、下流側ワイヤガイド部２にワイヤ方向転換ガイド取付部材８が取り付けられ、該ワイヤ方向転換ガイド取付部材８は本体から９０度屈曲した方向に延びる棒状の屈曲アーム８ａを備え、該屈曲アーム８ａの基部で、下流側ワイヤガイド２ａの上方位置に第１の方向転換ガイド９が設けられ、屈曲アームの先端に第２の方向転換ガイド１０が設けられている。
【００１０】
ワイヤ７は、下流側ワイヤガイド２ａから第１のワイヤ方向転換ガイド９で第２のワイヤ方向転換ガイド１０方向に屈曲され、この実施形態では概略９０度屈曲されている。第２のワイヤ方向転換ガイド１０で、上流側ワイヤガイド１ａ方向に屈曲され、上流側ワイヤガイド１ａに導かれている。
屈曲アーム８ａは、棒状であることから、図１、図２に示すように、ワーク４に設けられた、溝、凹部、孔内に挿入され、該溝、凹部、孔とワークの一方の外側面との間を放電加工することができる。図２では、ワーク４に形成された溝１２とワーク上面間の溝壁部に対して、Ｔ字型形状１３を切り落としする加工の例を示している。
【００１１】
第１、第２のワイヤ方向転換ガイド９，１０は、図３（ａ）に示すように、Ｖ溝ガイドを用い、第１のワイヤ方向転換ガイド９は図３（ｂ）に示すように、円形のガイドとし、第２のワイヤ方向転換ガイド１０は図３（ｃ）に示すように円形のガイドを中央部を一部切り取り、半円形ガイドとした。なお、図３（ｃ）中、符号ｄは切り取り部分である。
第１のワイヤ方向転換ガイド９は円形ガイドで形成したから、ワイヤ方向転換ガイド取付部材８に回転自在に取り付けてもよく、又、回転しないように取り付けてもよい。第２のワイヤ方向転換ガイド１０は、半円形ガイドで構成しているから、回転させることはできず、ワイヤ方向転換ガイド取付部材８の屈曲アーム８ａの先端に固定される。ワイヤ方向転換ガイド９，１０が回転しない場合、このワイヤ方向転換ガイドの溝内をワイヤが摺動することになる。そのため、ワイヤ方向転換ガイド９、１０のＶ溝はサファイヤ等の硬い部材で形成されているが、これら第１、第２のワイヤ方向転換ガイド９，１０でワイヤ７を屈曲させる屈曲角は９０度より小さく、ワイヤ７と第１、第２のワイヤ方向転換ガイド９，１０が接触する角度は、９０度以下となる。そのため、円形ガイドで形成される第１のワイヤ方向転換ガイド９は、Ｖ溝が摩耗すると９０度回転させて取付直しを行い、摩耗していないＶ字溝部分を使用する。又、半円形ガイドで形成されている第２のワイヤ方向転換ガイド１０は、裏返して、表裏代えて取付直し、Ｖ字溝の未摩耗部分を使用するようにする。
【００１２】
図４は本発明の一実施形態のワイヤ放電加工機の制御装置の要部ブロック図である。符号２０は、ワイヤ放電加工機を制御する数値制御装置等で構成される制御装置である。該制御装置２０には、プロセッサ２１と該プロセッサ２１にバス２８で結合されている、ＲＯＭ，ＲＡＭ等からなるメモリ２２、表示器２３，キーボード等の入力手段２４、加工プログラム等を外部記憶媒体から入力又は出力するインターフェース２５、各軸制御手段２６、入出力回路２７等で構成されている。
【００１３】
各軸制御手段２６は、ワークが載置されるテーブルを直交するＸ，Ｙ軸方向に駆動するＸ軸、Ｙ軸、上ガイドを該Ｘ軸、Ｙ軸に直交する方向に移動させるＺ軸、テーパ加工のための直交するＵ軸、Ｖ軸をそれぞれ駆動する各モータを制御するもので、各軸の位置、速度、電流のフィードバック制御手段等を備える。この各軸制御手段２６には、各軸のサーボアンプ３１を介して各軸のサーボモータ３４が接続されている。なお、各サーボモータ３４には位置・速度検出器が取り付けられ、位置、速度をそれぞれの軸制御回路にフィードバックするように構成されているが、この図４では省略している。又、図４では、軸制御手段２６、サーボアンプ３１、サーボモータ３４は１つしか示していないが、Ｘ，Ｙ，Ｚ，Ｕ，Ｖ軸、各軸毎に設けられているものである。
【００１４】
又、入出力回路２７には、ワイヤ放電加工機のワイヤとワーク間に電圧を印加して放電を生じせしめるための電源回路３２，上流側ワイヤガイド１ａと下流側ワイヤガイド２ａ間にワイヤ７を通し結線する自動結線装置３３、さらには、その他の周辺機器が接続されている。
上述したワイヤ放電加工機の制御装置の構成は、従来から公知のワイヤ放電加工機の制御装置の構成と変わりはない。
【００１５】
次に、この実施形態のワイヤの屈曲架設について、図５に示す制御装置２０のプロセッサが実施する処理フローチャート及び図６〜図１０で示す説明図と共に説明する。なお、図６〜図１０において（ａ）は、ワイヤ架設状態を示す上流側、下流側ワイヤガイド部１，２の正面図であり、（ｂ）は上面図である。又、図６（ａ）〜図１０（ａ）において、紙面下から上方向をＺ軸＋方向とし、紙面左から右方向をＵ軸＋方向とする。また、Ｖ軸方向は、紙面の表から裏方向がＶ軸＋方向とする。又、この実施形態では、屈曲アーム８ａはＵ軸−方向に屈曲され、第２のワイヤ方向転換ガイド１０が第１のワイヤ方向転換ガイド９及び下流側ワイヤガイド２ａに対してＵ軸−方向に配置されているものとする。
【００１６】
加工途中で断線したときには、断線処理を行った後に自動結線処理指令が出されたとき、又は、加工開始の最初に自動結線指令が出されたとき、制御装置２０のプロセッサは、図５の処理を開始する。まず、上流側ワイヤガイド部１を移動させ、上流側ワイヤガイド１ａと下流側ワイヤガイド２ａのワイヤ導出、導入口が対向するように位置決めする。
【００１７】
ワイヤ放電加工機には、ワークが固定されワイヤガイド部が直交するＸ，Ｙ軸方向に移動して加工し、一方のワイヤガイド部が、このＸ，Ｙ軸平面に垂直（Ｚ軸）方向に移動するタイプや、テーブル５がＸ，Ｙ軸方向に移動して加工し、一方のワイヤガイド部が、このＸ，Ｙ軸平面に垂直（Ｚ軸）方向に移動するタイプもある。又、いずれのタイプの場合でも、テーパ加工のために一方のガイド部がＸ，Ｙ軸平面と平行な面において直交するＵ，Ｖ軸の２方向に移動して加工するタイプがある。
【００１８】
この実施形態では、テーブルがＸ，Ｙ軸方向に移動し、上流側ワイヤガイド部１がＺ軸方向に移動し、かつＵ，Ｖ軸方向に移動するタイプを用いている。
図６に示すように、Ｕ，Ｖ軸を駆動して上流側ワイヤガイド部１を移動させて上流側ワイヤガイド１ａのワイヤ導出口と下流側ワイヤガイド２ａのワイヤ導入口が対向するように、すなわちＺ軸線と平行なほぼ同一線上に、上流側ワイヤガイド１のワイヤ導出口と下流側ワイヤガイド部２のワイヤ導入口がなるように、上流側ワイヤガイド部１を位置決めする（ステップＳ１）。
【００１９】
次に自動結線指令を自動結線装置３３に出力し（ステップＳ２）、自動結線装置３３を用いて、上流側ワイヤガイド１ａと下流側ワイヤガイド２ａ間にワイヤ７を通し自動結線する。自動結線装置は既に公知公用されており、例えば、特許第３２３５９１５号公報に開示されている。自動結線装置３３は、上流側ガイド部に取りつれられたノズル３から加工液等の液体をジェット流として噴射させ、このジェット流でワイヤ先端を拘束させながら上流側ワイヤガイド部１の上流側ワイヤガイド１ａよりワイヤを繰り出し、下流側ワイヤガイド２ａに導き、結線させる。
【００２０】
自動結線装置３３からワイヤ結線完了が知らされると（ステップＳ３）、図７に示すように、ワイヤ７を第１，第２のワイヤ方向転換ガイド９，１０に架けるべく、上流側ワイヤガイド部１を移動させる。すなわち、Ｚ軸を駆動して所定位置まで移動させ、Ｕ軸を−方向に駆動して所定量Ａ移動させ上流側ワイヤガイド部１を移動させ、第２のワイヤ方向転換ガイド１０よりも先の位置まで移動させる（ステップＳ４）。第１のワイヤ方向転換ガイド９及び下流側ワイヤガイド２ａは同一Ｖ軸位置（同一ＵＺ平面上）にあり、上流側ワイヤガイド部１をＵ軸を−方向に駆動することによって、ワイヤ７を第１のワイヤ方向転換ガイド９のＶ溝に導入し架けることになる。
【００２１】
次に、上流側ワイヤガイド部１をＵ軸と直交する方向のＶ軸−方向（第２のワイヤ方向転換ガイド１０が屈曲アーム８ａに取り付けられている方向）に所定量Ｂ移動させ（ステップＳ５）、上流側ワイヤガイド部１を下降（Ｚ軸方向で下流側ワイヤガイド部２方向）させても、ワイヤ７と第２のワイヤ方向転換ガイド１０が接触しないように移動させた後、上流側ワイヤガイド１ａのＺ軸位置が第２のワイヤ方向転換ガイド１０の外周のＺ軸位置よりも下側になるまで所定量Ｃ下降させる（ステップＳ６）。この状態を図８に示す。
【００２２】
次に、先のステップＳ５でＶ軸−方向に移動した所定量Ｂだけ、上流側ワイヤガイド部１を、逆方向のＶ軸＋方向に移動させた後（ステップＳ７）、Ｚ軸＋方向に所定量Ｃ移動させワイヤ７を第２のワイヤ方向転換ガイド１０に架ける（ステップＳ８）。この状態を図９に示す。
次に、図１０に示すように、Ｕ，Ｖ軸及びＺ軸を移動させ、所定位置に上流側ワイヤガイド部１を位置決めしワイヤの架設は終了する（ステップＳ９）。
【００２３】
上述したワイヤ架設作業は、手動で行ってもよいが、上述したようにワイヤ放電加工機の制御装置によって自動的に行うようにすれば、無人運転等で加工途中でワイヤが断線した場合、自動結線し、かつワイヤを屈曲架設して、加工作業に自動的に復旧させることができる。そして、Ｘ，Ｙ軸を駆動しテーブル５を移動させ、又Ｚ軸を駆動することによってワーク４に対してワイヤ放電加工ができる。さらには、Ｕ，Ｖ軸を駆動することによって、凹部、溝、孔等の側壁にテーパ加工を行うこともできる。
【００２４】
上述した実施形態では、ワイヤ方向転換ガイド取付部材８を下流側ワイヤガイド部２に取り付けたが、図１１に示すように上流側ワイヤガイド部１に取り付けてもよい。
【００２５】
又、上記実施形態では、ワイヤ方向転換ガイド及び下流側（又は上流側）ワイヤガイドを概略Ｌ字状に配置したが、図１２に示すようにＴ字状に配置してもよい。図１２に示す例では、ワイヤ方向転換ガイド取付部材８’に左右に延びる２つの屈曲アーム８ａ，８ａ’を設け、該各屈曲アーム８ａ，８ａ’の先端に第２のワイヤ方向転換ガイド１０，１０’をそれぞれ設け、かつ、各屈曲アーム８ａ，８ａ’の基部には、２つの第１のワイヤ方向転換ガイド９，９’を設け、ワイヤ方向転換ガイド及び下流側ワイヤガイドを概略Ｔ字状に配置した例である。
【００２６】
この場合、図１２に示すように、治具でテーブルに固定されたワーク４の溝等の開口部が右方向に向いていれば、屈曲アーム８ａの先端の第２のワイヤ方向転換ガイド１０を溝等の開口部から溝内に挿入し、図１２に示すようにワーク４を加工する。
【００２７】
一方、治具でテーブルに固定されたワーク４’の溝等の開口部が逆に左方向に向いていれば、右方向に突出する屈曲アーム８’の先端の第２のワイヤ方向転換ガイド１０’を溝内に挿入し、加工を行うようにする。これにより、ワークの対向面にそれぞれ設けられた溝等の一側壁の加工をワークのテーブルへの取付を変えることなく行うことができる。さらには、ワイヤガイドからのワイヤを屈曲させる第１、第２のワイヤ方向転換ガイドの組を複数ワイヤ方向転換ガイド取付部材８に設けてもよい。
【００２８】
又、上述した実施形態では、ワイヤ方向転換ガイド取付部材に第１、第２のワイヤ方向転換ガイドを取り付けて構成したが、第１、第２のワイヤ方向転換ガイドを一体的に構成してもよい。図１３に示すように、第１、第２のワイヤ方向転換ガイド９，１０を一体のサファイヤ製ガイドで構成し、この一体に構成された部材８”を下流側ワイヤガイド部又は上流側ワイヤガイド部に取り付けるようにすればよい。該部材８”は概略Ｌ字の形状とし、該部材８”には溝が形成され、該溝は下流側ワイヤガイド部又は上流側ワイヤガイド部から導き出されたワイヤを概略９０度に屈曲するように円弧状に設けられ、第１のワイヤ方向転換ガイド９を形成し、さらに、先端部にも溝が円弧状に設けられて第２のワイヤ方向転換ガイド１０を形成するものである。なお、図１３（ａ）は正面図、図１３（ｂ）は側面図である。
【００２９】
下流側ワイヤガイド部又は上流側ワイヤガイド部の一方から導き出されたワイヤは、第１のワイヤ方向転換ガイド９で第２のワイヤ方向転換ガイド１０方向に屈曲され、第２のワイヤ方向転換ガイド１０でさらに屈曲されて下流側ワイヤガイド部又は上流側ワイヤガイド部の他方に導かれる。このワイヤ架設の点は先に述べた実施形態と同じである。
【００３０】
さらに、ワイヤ方向転換ガイド取付部材８を下流側ワイヤガイド部又は上流側ワイヤガイド部に回動可能で、所定位置に固定可能に取付け、又は着脱自在に取付け、屈曲アームの方向を変えることができるようにしてもよい。
【００３１】
【発明の効果】
本発明は、従来例と較べ、ワイヤの屈曲回数が少ないため、ワイヤ張力負担を少なくでき、ワイヤの断線を低減させることができる。又、ワイヤがワークと対向する加工部では、ワイヤの曲がり癖や滑り抵抗による微小振動が少なく高精度な加工ができる。又、ワイヤ方向転換ガイド取付部材を一方のワイヤガイド部に取り付けるだけでよく、従来のワイヤ放電加工機を簡単に変更できる。
さらに、加工中のワイヤ断線による加工停止を、自動結線により自動的にワイヤを接続することで復旧し、無人連続運転を行うことができる。
【図面の簡単な説明】
【図１】本発明の一実施形態の要部正面図である。
【図２】同実施形態における図１から上流側ワイヤガイド部を取り除き、ワーク上方からみた上面図である。
【図３】同実施形態に用いるワイヤ方向転換ガイドの説明図である。
【図４】同実施形態におけるワイヤ放電加工機の制御装置の要部ブロック図である。
【図５】同実施形態におけるワイヤ架設処理のフローチャートである。
【図６】同実施形態における自動結線動作の説明図である。
【図７】同実施形態において第１のワイヤ方向転換ガイドのＶ溝にワイヤを架けた状態を表す説明図である。
【図８】同実施形態において第２のワイヤ方向転換ガイドにワイヤを架けるために該第２のワイヤ方向転換ガイドの下方位置にワイヤを位置づけるための動作の説明図である。
【図９】同実施形態において第２のワイヤ方向転換ガイドのＶ溝にワイヤを架けた状態を表す説明図である。
【図１０】同実施形態においてワイヤ架設終了の状態を示す説明図である。
【図１１】同実施形態の他の使用例の説明図である。
【図１２】本発明の他の実施形態の説明図である。
【図１３】本発明のさらに別の実施形態におけるワイヤ方向転換ガイドの説明図である。
【符号の説明】
１　上流側ワイヤガイド部
１ａ　上流側ワイヤガイド
２　下流側ワイヤガイド部
２ａ　下流側ワイヤガイド
３　ノズル
４　ワーク
５　テーブル
６　ワーク取付治具
７　ワイヤ
８　ワイヤ方向転換ガイド取付部材
９　第１のワイヤ方向転換ガイド
１０　第２のワイヤ方向転換ガイド
１２　溝
１３　加工形状
【図１】
2004090132.tif 000003
【図２】
2004090132.tif 000004
【図３】
2004090132.tif 000005
【図４】
2004090132.tif 000006
【図５】
2004090132.tif 000007
【図６】
2004090132.tif 000008
【図７】
2004090132.tif 000009
【図８】
2004090132.tif 000010
【図９】
2004090132.tif 000011
【図１０】
2004090132.tif 000012
【図１１】
2004090132.tif 000013
【図１２】
2004090132.tif 000014
【図１３】
2004090132.tif 000015